(57)【要約】【課題】配管の腐食を抑制しながら、水質管理システムの運用中に消費する補給水量を削減する。【解決手段】循環ラインと冷却塔とを備えるプラントの循環水系統の水質管理システムは、循環ラインに補給水を供給する補給水供給部と、循環ラインから循環水を排出する循環水排出部と、循環ラインにｐＨ調整剤又はインヒビターの少なくとも一方の薬剤を供給する薬剤供給部と、循環ラインに設けられる機器の内部流路又は循環ラインを構成する配管の全面腐食を検出する全面腐食センサと、配管の局部腐食を検出する局部腐食センサと、全面腐食センサ及び局部腐食センサの検出結果に基づいて、補給水供給部、循環水排出部及び薬剤供給部を制御するコントローラと、を備える。コントローラは、全面腐食が検出されたときに循環ラインに薬剤を供給し、配管の局部腐食が検出されたときに循環ラインに補給水を供給するとともに循環水の一部を循環ラインから排出するように制御する。【選択図】図１
2018105794.tif 000002
【特許請求の範囲】
【請求項１】
循環水塩化物イオンが循環する循環ラインと、前記循環ラインに設けられて前記循環水の蒸発潜熱により前記循環水を冷却する冷却塔と、を備えるプラントの循環水系統の水質管理システムであって、
前記循環ラインに補給水を供給するための補給水供給部と、
前記循環ラインから前記循環水を排出するための循環水排出部と、
前記循環ラインにｐＨ調整剤又はインヒビターの少なくとも一方の薬剤を供給するための薬剤供給部と、
前記循環ラインに設けられる機器の内部流路又は前記循環ラインを構成する配管の全面腐食を検出するための全面腐食センサと、
前記配管の局部腐食を検出するための局部腐食センサと、
前記全面腐食センサ及び前記局部腐食センサの検出結果に基づいて、前記補給水供給部、前記循環水排出部及び前記薬剤供給部を制御するためのコントローラと、を備え、
前記コントローラは、
前記全面腐食センサにより前記配管の全面腐食が検出されたとき、前記薬剤を前記循環ラインに供給するように前記薬剤供給部を制御し、
前記局部腐食センサにより前記配管の局部腐食が検出されたとき、前記補給水を前記循環ラインに供給するように前記補給水供給部を制御するとともに、前記循環水の一部を前記循環ラインから排出するように前記循環水排出部を制御する
ように構成されたことを特徴とする循環水系統の水質管理システム。
【請求項２】
前記循環水系統は、前記循環ラインに設けられる復水器を備え、
前記復水器は、
冷却水としての前記循環水が内部を流れ、外部を流れる蒸気を復水させるように構成された複数の伝熱管と、
前記複数の伝熱管の入口側に設けられる入口ヘッダと、
前記複数の伝熱管の出口側に設けられる出口ヘッダと、
を含み、
前記全面腐食センサは、少なくとも一つの前記伝熱管に設置されることを特徴とする請求項１に記載の循環水系統の水質管理システム。
【請求項３】
前記循環水系統は、前記循環ラインに設けられる循環水ポンプを備え、
前記全面腐食センサは、前記循環ラインのうち前記循環水ポンプの出口側の前記配管に設けられることを特徴とする請求項１又は２に記載の循環水系統の水質管理システム。
【請求項４】
前記循環水系統は、前記循環ラインに設けられる復水器又は熱交換用配管を備え、
前記復水器は、冷却水としての前記循環水が内部を流れ、外部を流れる蒸気を復水させるように構成された複数の伝熱管を含み、
前記局部腐食センサは、少なくとも一つの前記伝熱管又は熱交換用配管のＵベンド部に設置されることを特徴とする請求項１乃至３の何れか一項に記載の循環水系統の水質管理システム。
【請求項５】
前記循環水系統は、前記循環ラインに設けられる復水器を備え、
前記復水器は、
冷却水としての前記循環水が内部を流れ、外部を流れる蒸気を復水させるように構成された複数の伝熱管と、
前記複数の伝熱管の入口側に設けられる入口ヘッダと、
前記複数の伝熱管の出口側に設けられる出口ヘッダと、
を含み、
前記局部腐食センサは、前記入口ヘッダと前記複数の伝熱管との接続部、または、前記出口ヘッダと前記複数の伝熱管との接続部の少なくとも一方に設置される
ことを特徴とする請求項１乃至４の何れか一項に記載の循環水系統の水質管理システム。
【請求項６】
前記循環ラインは、
第１配管と、
前記第１配管とフランジ締結又は溶接により接続される第２配管と
を含み、
前記局部腐食センサは、前記第１配管と前記第２配管との接続部に設置されることを特徴とする請求項１乃至５の何れか一項に記載の循環水系統の水質管理システム。
【請求項７】
前記全面腐食センサは、ＵＴセンサを含むことを特徴とする請求項１乃至６の何れか一項に記載の循環水系統の水質管理システム。
【請求項８】
前記局部腐食センサは、ＥＣＴセンサを含むことを特徴とする請求項１乃至７の何れか一項に記載の循環水系統の水質管理システム。
【請求項９】
循環水塩化物イオンが循環する循環ラインと、前記循環ラインに設けられて前記循環水の蒸発潜熱により前記循環水を冷却する冷却塔と、を含む循環水系統と、
前記循環水系統の水質を管理するように構成された、請求項１乃至８の何れか一項に記載の水質管理システムと、
を備えることを特徴とするプラント。
【請求項１０】
循環水塩化物イオンが循環する循環ラインと、前記循環ラインに設けられて前記循環水の蒸発潜熱により前記循環水を冷却する冷却塔と、前記循環ラインに補給水を供給するための補給水供給部と、前記循環ラインから前記循環水を排出するための循環水排出部と、前記循環ラインにｐＨ調整剤又はインヒビターの少なくとも一方の薬剤を供給するための薬剤供給部と、を備えるプラントの循環水系統の水質管理方法であって、
全面腐食センサを用いて、前記循環ラインに設けられる機器の内部流路又は前記循環ラインを構成する配管の全面腐食を検出するステップと、
局部腐食センサを用いて、前記配管の局部腐食を検出するステップと、
前記全面腐食センサ及び前記局部腐食センサの検出結果に基づいて、前記補給水供給部、前記循環水排出部及び前記薬剤供給部を制御するステップと、を備え、
前記制御するステップでは、
前記全面腐食センサにより前記配管の全面腐食が検出されたとき、前記薬剤を前記循環ラインに供給するように前記薬剤供給部を制御し、
前記局部腐食センサにより前記配管の局部腐食が検出されたとき、前記補給水を前記循環ラインに供給するように前記補給水供給部を制御するとともに、前記循環水の一部を前記循環ラインから排出するように前記循環水排出部を制御する
ことを特徴とする循環水系統の水質管理方法。
【発明の詳細な説明】
【技術分野】
【０００１】
本発明は、プラント、循環水系統の水質管理システム及び循環水系統の水質管理方法に関する。
【背景技術】
【０００２】
従来、発電所等のプラントの循環水系においては、腐食、スケール及びスライム等の発生が３大トラブルとされており、これらの発生を避けるために循環水系に薬剤を投入したり濃縮倍率を低下させるためのブローを行ったりする等の対応が取られている。
【０００３】
具体的に、従来のプラントの循環水系における水質管理方法は、循環水のｐＨ値や電気伝導度に基づき循環水の濃縮倍率を決定し、濃縮倍率が基準値を超える場合にブローを行って循環水系から水を排水すると共に該循環水系に新たに補給水を給水する方法が採用されていた。例えば、特許文献１には、化学プラントの循環冷却水の水質管理方法に関する技術が開示されている。この特許文献１に開示された方法は、循環水をサンプリングし、サンプリングした循環水に浸漬した１対の金属電極間のカップリング電流及び電気化学的電流ノイズを測定して腐食状態（全面腐食、混合腐食、局部腐食等）を判定し、その判定結果に基づきブロー排出量や薬剤投入量を制御する。
【０００４】
また、特許文献２には、循環水の水質を示す循環水質指標値に加え、補給水の水質を示す補給水質指標値に基づいて濃縮制御量を決定することにより、補給水の水質が一定でない場合にも循環水系の水質を適切に管理して火力発電プラントを低コストに運転する技術案が開示されている。なお、循環水系の水質管理の分野ではないが、ＥＣＴ（渦電流探傷）式プローブやＵＴ（超音波探傷）プローブを用いて管の外径や欠陥の有無を求める技術が特許文献３に開示されている。
【先行技術文献】
【特許文献】
【０００５】
【特許文献１】特許第３５８３５６８号公報
【特許文献２】特許第５９２５３７１号公報
【特許文献３】特開平１１−１０１８９１号公報
【発明の概要】
【発明が解決しようとする課題】
【０００６】
ここで、運転コストの面からは、循環水の濃縮倍率を極力高めて節水しながら運転を行うことが好ましいとされるが、上記特許文献１又は２のような方法によってもなお、水の消費量が多く、水質維持コストが高止まりする要因の一つとなるという問題があった。さらに、上記特許文献１又は２の方法によってもなお、循環水系の健全性（例えば、腐食の有無等）は、その都度サンプリングした循環水におけるｐＨ値等のパラメータを監視することと、都度の目視点検等により確認される。しかし、ｐＨ値等のパラメータ監視だけでは循環水系における腐食の発生有無や発生量を検知することはできず、また、都度の目視点検で確認する場合は事態が深刻になってから気付くことになってしまう可能性がある。
【０００７】
そこで、本発明の少なくとも幾つかの実施形態は、上述した課題の少なくとも一つを解決することを目的とし、配管の腐食を抑制しながら、水質管理システムの運用中に消費する補給水量を削減することを目的とする。また、本発明の少なくとも幾つかの実施形態は、循環水系における腐食等の発見遅れを防止することを目的とする。
【課題を解決するための手段】
【０００８】
（１）本発明の少なくとも幾つかの実施形態に係る循環水系統の水質管理システムは、
循環水塩化物イオンが循環する循環ラインと、前記循環ラインに設けられて前記循環水の蒸発潜熱により前記循環水を冷却する冷却塔と、を備えるプラントの循環水系統の水質管理システムであって、
前記循環ラインに補給水を供給するための補給水供給部と、
前記循環ラインから前記循環水を排出するための循環水排出部と、
前記循環ラインにｐＨ調整剤又はインヒビターの少なくとも一方の薬剤を供給するための薬剤供給部と、
前記循環ラインに設けられる機器の内部流路又は前記循環ラインを構成する配管の全面腐食を検出するための全面腐食センサと、
前記配管の局部腐食を検出するための局部腐食センサと、
前記全面腐食センサ及び前記局部腐食センサの検出結果に基づいて、前記補給水供給部、前記循環水排出部及び前記薬剤供給部を制御するためのコントローラと、を備え、
前記コントローラは、
前記全面腐食センサにより前記配管の全面腐食が検出されたとき、前記薬剤を前記循環ラインに供給するように前記薬剤供給部を制御し、
前記局部腐食センサにより前記配管の局部腐食が検出されたとき、前記補給水を前記循環ラインに供給するように前記補給水供給部を制御するとともに、前記循環水の一部を前記循環ラインから排出するように前記循環水排出部を制御する
ように構成される。
【０００９】
配管の全面腐食とは、配管材料の表面全体が活性面であるために腐食反応が広い範囲で起きて、配管の減肉として現れる腐食態様である。これに対し、配管の局部腐食とは、配管の局所的な腐食に起因して配管のき裂の発生として現れる腐食態様である。局部腐食は、循環水中の塩化物イオン等の皮膜破壊型イオンの存在により配管材料の酸化皮膜が局所的に破壊されて当該部分において腐食が進行することで発生する。
局部腐食の発生メカニズムは、循環水中の皮膜破壊型イオン（例えば、塩化物イオン）の濃度が所定の値以上になったときに配管材料の酸化被膜が局所的に破壊される結果、局部的に腐食が進行するというものである。このため、局部腐食が発生した場合には、補給水を循環ラインに供給するとともに、循環ラインから循環水の一部を排出することで、循環ラインにおける皮膜破壊型イオンの濃度を下げる必要がある。一方、全面腐食の場合、ｐＨ調整剤やインヒビターのような薬剤の供給により腐食を抑制することが可能である。
上記（１）の構成によれば、循環ライン又は循環ライン上の機器の内部流路を構成する配管に生じる腐食が全面腐食又は局部腐食であるかを識別した上で、全面腐食が生じている場合に薬剤供給で腐食抑制を図るようにしたので、配管の腐食を抑制しながら、水質管理システムの運用中に消費する補給水量を削減することができる。
なお、全面腐食センサと、局部腐食センサとを別体として構成してもよいし、両センサを同一センサで兼用することも可能である。
【００１０】
（２）幾つかの実施形態では、上記（１）に記載の循環水系統の水質管理システムにおいて、
前記循環水系統は、前記循環ラインに設けられる復水器を備え、
前記復水器は、
冷却水としての前記循環水が内部を流れ、外部を流れる蒸気を復水させるように構成された複数の伝熱管と、
前記複数の伝熱管の入口側に設けられる入口ヘッダと、
前記複数の伝熱管の出口側に設けられる出口ヘッダと、
を含み、
前記全面腐食センサは、少なくとも一つの前記伝熱管に設置される。
【００１１】
復水器の伝熱管は入口ヘッダに比べて流路断面積が小さいため、伝熱管内における循環水（冷却水）の流速は比較的大きくなる。また、伝熱管内を流れる循環水は蒸気との熱交換により加熱され、比較的温度が高い。このため、復水器の伝熱管は、循環水の流速が大きく、循環水の温度が高いため、全面腐食の反応速度が比較的大きい。
この点、上記（２）の構成によれば、全面腐食が起きやすい復水器の伝熱管に全面腐食センサを設けたので、水質管理システムの運用により、復水器伝熱管の全面腐食を抑制可能な水質に維持可能となる。
【００１２】
（３）幾つかの実施形態では、上記（１）又は（２）に記載の循環水系統の水質管理システムにおいて、
前記循環水系統は、前記循環ラインに設けられる循環水ポンプを備え、
前記全面腐食センサは、前記循環ラインのうち前記循環水ポンプの出口側の前記配管に設けられる。
【００１３】
循環水ポンプの出口側配管は、循環水ポンプから吐出された流速が大きい循環水が流れるので、全面腐食の反応速度が比較的大きい。
この点、上記（３）の構成によれば、全面腐食が起きやすい循環水ポンプの出口側配管に全面腐食センサを設けたので、水質管理システムの運用により、循環水ポンプの出口側配管の全面腐食を抑制可能な水質に維持可能となる。
【００１４】
（４）幾つかの実施形態では、上記（１）乃至（３）の何れか一つに記載の循環水系統の水質管理システムにおいて、
前記循環水系統は、前記循環ラインに設けられる復水器又は熱交換用配管を備え、
前記復水器は、冷却水としての前記循環水が内部を流れ、外部を流れる蒸気を復水させるように構成された複数の伝熱管を含み、
前記局部腐食センサは、少なくとも一つの前記伝熱管又は前記熱交換用配管のＵベンド部に設置される。
【００１５】
復水器の伝熱管やその他熱交換機の管板部、熱交換用配管のＵベンド部等には、比較的大きな引張り応力が作用するため、例えば、引張応力が高くなりやすい復水器の伝熱管や熱交換器のＵベンド部をステンレス材料で形成した場合には局部腐食の一形態であるＳＣＣ（応力腐食割れ）が発生しやすい。また、伝熱効率を向上させる観点から伝熱管の肉厚は薄いため、局部腐食による伝熱管の破損のリスクは比較的大きい。
この点、上記（４）の構成によれば、局部腐食（例えば、復水器の伝熱管や、他の熱交換機のＵベンド部、等をステンレス材料で形成した場合にはＳＣＣ等）が発生しやすく破損リスクが高い伝熱管や、熱交換器のＵベンド部に局部腐食センサを設けたので、水質管理システムの運用により、復水器伝熱管の局部腐食を抑制可能な水質に維持可能となる。
【００１６】
（５）幾つかの実施形態では、上記（１）乃至（４）の何れか一つに記載の循環水系統の水質管理システムにおいて、
前記循環水系統は、前記循環ラインに設けられる復水器を備え、
前記復水器は、
冷却水としての前記循環水が内部を流れ、外部を流れる蒸気を復水させるように構成された複数の伝熱管と、
前記複数の伝熱管の入口側に設けられる入口ヘッダと、
前記複数の伝熱管の出口側に設けられる出口ヘッダと、
を含み、
前記局部腐食センサは、前記入口ヘッダと前記複数の伝熱管との接続部、または、前記出口ヘッダと前記複数の伝熱管との接続部の少なくとも一方に設置される。
【００１７】
復水器の伝熱管とヘッダ（例えば、水室など）との接続部には、拡管や溶接などにより比較的大きな引張り応力が作用する。このため、仮に、伝熱管をステンレス材料等で形成した場合は局部腐食の一形態であるＳＣＣ（応力腐食割れ）が発生しやすい。
この点、上記（５）の構成によれば、局部腐食（例えば、伝熱管材料としてステンレスを用いた場合はＳＣＣ等）が発生しやすい伝熱管とヘッダとの接続部に局部腐食センサを設けたので、水質管理システムの運用により、復水器の伝熱管−ヘッダの接続部における局部腐食を抑制可能な水質に維持可能となる。
【００１８】
（６）幾つかの実施形態では、上記（１）乃至（５）の何れか一つに記載の循環水系統の水質管理システムにおいて、
前記循環ラインは、
第１配管と、
前記第１配管とフランジ締結又は溶接により接続される第２配管と
を含み、
前記局部腐食センサは、前記第１配管と前記第２配管との接続部に設置される。
【００１９】
上記（６）の構成によれば、塩化物イオン濃度が高い循環水が滞留しやすい配管接続部に局部腐食センサを設けたので、水質管理システムの運用により、配管接続部における局部腐食を抑制可能な水質に維持可能となる。
【００２０】
（７）幾つかの実施形態では、上記（１）乃至（６）の何れか一つに記載の循環水系統の水質管理システムにおいて、
前記全面腐食センサは、ＵＴセンサを含む。
【００２１】
ＵＴセンサは、配管材料の外表面からの超音波反射波と、配管材料の内表面からの超音波反射の受信タイミングの差に基づいて配管の肉厚を高精度に測定可能である。
このため、上記（７）の構成のように、全面腐食センサとしてＵＴセンサを用いることで、配管の減肉として現れる全面腐食を適切に検出することができる。よって、水質管理システムの運用により、全面腐食を抑制可能な水質に維持可能となる。
【００２２】
（８）幾つかの実施形態では、上記（１）乃至（７）の何れか一つに記載の循環水系統の水質管理システムにおいて、
前記局部腐食センサは、ＥＣＴセンサを含む。
【００２３】
ＥＣＴセンサは、配管材料（金属）に渦電流を発生させ、配管材料におけるき裂に起因したインピーダンス信号の乱れを検知することで、局部腐食を検出可能である。
このため、上記（８）の構成のように、局部腐食センサとしてＥＣＴセンサを用いることで、配管のき裂として現れる局部腐食を適切に検出することができる。よって、水質管理システムの運用により、局部腐食を抑制可能な水質に維持可能となる。
【００２４】
（９）本発明の少なくとも幾つかの実施形態に係るプラントは、
循環水塩化物イオンが循環する循環ラインと、前記循環ラインに設けられて前記循環水の蒸発潜熱により前記循環水を冷却する冷却塔と、を含む循環水系統と、
前記循環水系統の水質を管理するように構成された、請求項１乃至８の何れか一項に記載の水質管理システムと、
を備える。
【００２５】
上記（９）の構成によれば、循環ライン又は循環ライン上の機器の内部流路を構成する配管に生じる腐食が全面腐食又は局部腐食であるかを識別した上で、全面腐食が生じている場合に薬剤供給で腐食抑制を図るようにしたプラントが提供される。したがって、配管の腐食を抑制しながら、水質管理システムの運用中に消費する補給水量を削減することが可能なプラントを提供することができる。
【００２６】
（１０）本発明の少なくとも幾つかの実施形態に係る循環水系統の水質管理方法は、
循環水塩化物イオンが循環する循環ラインと、前記循環ラインに設けられて前記循環水の蒸発潜熱により前記循環水を冷却する冷却塔と、前記循環ラインに補給水を供給するための補給水供給部と、前記循環ラインから前記循環水を排出するための循環水排出部と、前記循環ラインにｐＨ調整剤又はインヒビターの少なくとも一方の薬剤を供給するための薬剤供給部と、を備えるプラントの循環水系統の水質管理方法であって、
全面腐食センサを用いて、前記循環ラインに設けられる機器の内部流路又は前記循環ラインを構成する配管の全面腐食を検出するステップと、
局部腐食センサを用いて、前記配管の局部腐食を検出するステップと、
前記全面腐食センサ及び前記局部腐食センサの検出結果に基づいて、前記補給水供給部、前記循環水排出部及び前記薬剤供給部を制御するステップと、を備え、
前記制御するステップでは、
前記全面腐食センサにより前記配管の全面腐食が検出されたとき、前記薬剤を前記循環ラインに供給するように前記薬剤供給部を制御し、
前記局部腐食センサにより前記配管の局部腐食が検出されたとき、前記補給水を前記循環ラインに供給するように前記補給水供給部を制御するとともに、前記循環水の一部を前記循環ラインから排出するように前記循環水排出部を制御する。
【００２７】
上記（１０）の構成によれば、上記（１）同様に、循環ライン又は循環ライン上の機器の内部流路を構成する配管に生じる腐食が全面腐食又は局部腐食であるかを識別した上で、全面腐食が生じている場合に薬剤供給で腐食抑制を図るようにしたので、配管の腐食を抑制しながら、水質管理システムの運用中に消費する補給水量を削減することができる。
【発明の効果】
【００２８】
本発明の幾つかの実施形態によれば、配管の腐食を抑制しながら、水質管理システムの運用中に消費する補給水量を削減することができるとともに、循環水系における腐食等の発見遅れを防止することができる。
【図面の簡単な説明】
【００２９】
【図１】幾つかの実施形態に係るプラントの構成を示す概略図である。
【図２】幾つかの実施形態に係る循環水系統の水質管理システムを示す概略図である。
【図３】幾つかの実施形態における循環ラインを示す概略図である。
【図４Ａ】幾つかの実施形態における全面腐食センサの構成を示す斜視図である。
【図４Ｂ】幾つかの実施形態における全面腐食センサの構成を示す側面図である。
【図５】幾つかの実施形態における全面腐食センサの構成を示す概略図である。
【図６】幾つかの実施形態に係る循環水系統の水質管理システムにおける制御系の構成を示すブロック図である。
【図７】幾つかの実施形態に係る循環水系統の水質管理方法を示すフローチャートである。
【図８】幾つかの実施形態に係る循環水系統の水質管理方法を示すフローチャートである。
【図９】幾つかの実施形態に係る循環水系統の水質管理方法を示すフローチャートである。
【発明を実施するための形態】
【００３０】
以下、添付図面に従って本発明の例示的な実施形態について説明する。ただし、以下に示す幾つかの実施形態に記載された構成部品の寸法、材質、形状、その相対的配置等は、特定的な記載がない限り本発明の範囲をこれに限定する趣旨ではなく、単なる説明例にすぎない。
【００３１】
図１は、本発明の幾つかの実施形態に係るプラントとしての火力発電プラント１の構成を示す概略図である。同図に示すように、幾つかの実施形態において、火力発電プラント１は、ボイラ２、蒸気タービン３及び発電機４等を備えている。
ボイラ２は、水を蒸発させて蒸気を発生させ、蒸気タービン３は、ボイラ２が発生させた蒸気により回転し、発電機４は、蒸気タービン３の回転エネルギーを電力に変換する。
【００３２】
幾つかの実施形態において、火力発電プラント１は、冷媒或いは作動流体としての水を循環させるための循環水系統１０と、この循環水系統１０内の水（循環水）の水質を所定範囲内に維持するための水質管理システム２０と、をさらに備えている。
【００３３】
ここで、本明細書において、循環水の水質について「所定範囲内」とは、循環水系統１０を構成する各部（特にそれらの内部流路）に腐食が発生しない程度の水質範囲をいう。
循環水の水質は、例えば、循環水系統１０を構成する各部の材質、原水の種類（例えば、海水、河水、湖水、貯留水など）、火力発電プラント１を運転するための適切な温度、粘度、ｐＨ値、各種薬剤の濃度など種々のパラメータを考慮して濃縮倍率の最大値が決定され、さらに、薬剤コストや用水コスト等を含む火力発電プラント１の運転に関する経済性等を総合的に考慮して実際の運転に際しての濃縮倍率が決定される。
循環水の濃縮倍率は、次式（１）で規定される。
濃縮倍率＝補給水量／排水量  ・・・（１）
上記（１）式において、補給水量は次式（２）で規定される。
補給水量＝蒸発量＋ブロー水量  ・・・（２）
上記（２）式において、蒸発量は以下の関係を有する。
蒸発量≒復水流量        ・・・（３）
そして、次式（４）により薬剤供給量が規定される。
薬剤供給量＝ブロー水量×薬剤濃度  ・・・（４）
【００３４】
幾つかの実施形態において、循環水系統１０は、循環水の流路となる循環ライン１１と、この循環ライン１１に設けられた冷却塔７と、を備えている。
【００３５】
幾つかの実施形態において、循環ライン１１は、その内部を流れる循環水の水質を所定範囲内とするべく薬剤を投入することで、循環水塩化物イオンが循環することとなる。
【００３６】
幾つかの実施形態において、循環水系統１０は、循環ライン１１に設けられた復水器５をさらに備えていてもよい。この復水器５は、蒸気タービン３から排出される蒸気と循環ライン１１を流れる冷却水とを熱交換させることで、気相の蒸気を液相の水に戻すために配置される。復水器５で復水された水は、復水ポンプ６によってボイラ２に送られる。
【００３７】
図２に示すように、幾つかの実施形態において、復水器５は、冷却水としての循環水が内部を流れ、外部を流れる蒸気を復水させるように構成された複数の伝熱管５１と、これら複数の伝熱管５１の入口側に設けられて各伝熱管５１に冷却水を分配する入口ヘッダ５３（例えば、水室など）と、複数の伝熱管５１の出口側に設けられて各伝熱管５１からの冷却水を集約する出口ヘッダ５４（例えば、水室など）と、を含んで構成される。
【００３８】
幾つかの実施形態において、伝熱管５１は、その内部を流れる冷却水（循環水）によって該伝熱管５１の外部を流れる蒸気を冷却するという機能及び目的のため、内部と外部との間で熱交換が容易に行われるよう伝熱性を考慮して構成される。このため、個々の伝熱管５１は、例えば、循環ライン１１を構成する配管や復水器５の入口ヘッダ５３及び出口ヘッダ５４に比べて小径の管で構成され、これを複数配置することで流量を確保するとともに、熱交換に供する配管の表面積を確保するようになっている。
【００３９】
幾つかの実施形態において、入口ヘッダ５３は、循環ライン１１における復水器５の上流側に配置され、復水器５内に配置される複数の伝熱管５１の一端とそれぞれ連通している。幾つかの実施形態において、出口ヘッダ５４は、循環ライン１１における復水器５の下流側に配置され、復水器５内に配置される複数の伝熱管５１の他端とそれぞれ連通している。
【００４０】
幾つかの実施形態において、循環ライン１１は、第１配管５６と、この第１配管５６とフランジ締結又は溶接により接続される第２配管５７と、を含んで構成される（図３参照）。幾つかの実施形態では、例えば、循環ライン１１における上流側に第１配管５６が配置され、同下流側に第２配管５７が配置される。他の実施形態では、第１配管５６が下流側に配置され第２配管５７が上流側に配置されてもよい。
これら第１配管５６及び第２配管５７の接続部は、構造上、隙間が形成され易いといえる。このため、水質中の不純物（例えば、塩素Ｃｌなど）濃度や酸素濃度が高くなる傾向があり、亀裂等の局部腐食の発生を監視する必要性が高い部分と考えられる。
【００４１】
幾つかの実施形態において、冷却塔７は、復水器５で熱交換されて加熱された冷却水を冷却する。この冷却塔７には、冷却水を冷却するためのファン（図示省略）を設けてもよく、当該ファンは、インバータ制御または運転するファンの台数制御により回転数を制御可能に構成してもよい。
【００４２】
幾つかの実施形態において、循環水系統１０は、循環ライン１１に設けられた循環水ポンプ２２をさらに備えていてもよい。幾つかの実施形態において、循環水ポンプ２２の上流側及び下流側にそれぞれ入口配管（上流側配管）及び出口配管（下流側配管）が接続される。循環水ポンプ２２と、これら入口配管、出口配管との接続部もまた、構造上、隙間が形成され易いといえるため、上述した第１配管５６と第２配管５７との接続部と同様のことがいえる。
【００４３】
幾つかの実施形態において、水質管理システム２０は、循環ライン１１に補給水を供給するための補給水供給部２７と、循環ライン１１から循環水を排出するための循環水排出部２１と、循環ライン１１にｐＨ調整剤又はインヒビターの少なくとも一方の薬剤を供給するための薬剤供給部２８と、循環ライン１１に設けられる機器の内部流路又は循環ライン１１を構成する配管（第１配管５６又は第２配管５７）の全面腐食を検出するための全面腐食センサと、配管の局部腐食を検出するための局部腐食センサと、全面腐食センサ及び局部腐食センサの検出結果に基づいて、補給水供給部２７、循環水排出部２１及び薬剤供給部２８を制御するためのコントローラ３１と、を備えている。
【００４４】
幾つかの実施形態において、補給水供給部２７は、水源から取水される原水を補給水として循環ライン１１に供給するように構成される。幾つかの実施形態において、補給水供給部２７は、給水ポンプ（図示省略）を含み、さらに、補給水質センサ（図示省略）を含んでもよい。補給水質センサによって検出される水質の例としては、電気伝導率、ｐＨ値、塩濃度、金属濃度、ＣＯＤ（Ｃｈｅｍｉｃａｌ  Ｏｘｙｇｅｎ  Ｄｅｍａｎｄ）、ＢＯＤ（Ｂｉｏｃｈｅｍｉｃａｌ  Ｏｘｙｇｅｎ  Ｄｅｍａｎｄ）、およびシリカ濃度、ならびにこれらの組み合わせが挙げられる。補給水質センサは、検出した水質を示す各パラメータの値をコントローラ３１に出力するように構成されてもよい。
【００４５】
幾つかの実施形態において、循環水排出部２１は、循環ライン１１を循環する水の一部を排水処理設備２５に排出するように構成される。幾つかの実施形態において、循環水排出部２１は、ブローバルブ２３を含み、さらに、排水質センサ（図示省略）を含んでもよい。排水質センサによって検出される水質の例としても、上記補給水質センサと同様に、電気伝導率、ｐＨ値、塩濃度、金属濃度、ＣＯＤ（Ｃｈｅｍｉｃａｌ  Ｏｘｙｇｅｎ  Ｄｅｍａｎｄ）、ＢＯＤ（Ｂｉｏｃｈｅｍｉｃａｌ  Ｏｘｙｇｅｎ  Ｄｅｍａｎｄ）、およびシリカ濃度、ならびにこれらの組み合わせが挙げられる。排水質センサは、検出した水質を示す各パラメータの値をコントローラ３１に出力するように構成されてもよい。
【００４６】
幾つかの実施形態において、薬剤供給部２８は、例えば、ｐＨ調整剤、脱酸素剤、またはその他の薬剤を循環ライン１１に供給するように構成される。幾つかの実施形態において、薬剤供給部２８は、ｐＨ調整剤又はインヒビターの少なくとも一方に加え、殺菌剤を供給できるように構成してもよい。このようにすれば、例えば、バイオファウリング等の発生にも対応することができるため望ましい。この薬剤供給部２８は、薬剤を貯留する薬剤タンク２８Ａと、薬剤タンク２８Ａから循環ライン１１に薬剤を供給する薬剤ポンプ２８Ｂとを備えている。幾つかの実施形態において、薬剤供給部２８は、循環ライン１１に供給する薬剤の種類に応じて少なくとも１つ設けられる。他の実施形態では、複数種類の薬剤を個別に供給するべく複数の薬剤供給部２８を設けてもよい。
なお、ｐＨ調整剤としては、例えば、苛性ソーダ、硫酸、消石灰等が挙げられる。
【００４７】
幾つかの実施形態では、全面腐食センサとして、例えば、超音波（ＵＴ：ｕｌｔｒａｓｏｎｉｃ）センサであるＵＴセンサ３２を用いてもよい。このＵＴセンサ３２は、測定対象となる配管の壁面に入射した超音波が反対側の面で反射し、跳ね返ってくる信号の特性や時間を測定するものであり、配管の肉厚測定に適している。幾つかの実施形態において、ＵＴセンサ３２は、循環ライン１１を構成する配管の外面に設けられる。なお、配管の内部に亀裂などがある場合は疑似信号となるため、これを利用してＵＴセンサ３２で亀裂を検出することも可能である。
【００４８】
ここで、配管の腐食について説明する。腐食には、所謂、全面腐食と局部腐食（部分腐食）とが含まれる。
全面腐食は、表面に被膜を形成しない材料（例えば、炭素鋼など）において、表面全体が活性面となっているため管表面の比較的広い範囲で腐食反応が起き、配管の減肉として現れる腐食態様である。
局部腐食は、表面に酸化被膜を形成する材料（例えば、ステンレス鋼（ＳＵＳ）など）において、配管材料と水との環境遮断を担う酸化被膜が、例えば、塩素Ｃｌ等の被膜破壊型のイオンが共存する場合などに局所的に破壊されて、被膜が破壊された箇所の内部で腐食が進行する腐食態様である。局部腐食の一例としては、例えば、配管材料にステンレス鋼（ＳＵＳ）を用いた場合は、応力腐食割れ（ＳＣＣ）が挙げられる。また、例えば、合金などにおいては、粒界などの、耐食性が低い部分において優先的に局部腐食が進行する。
【００４９】
図４Ａは、幾つかの実施形態におけるＵＴセンサ３２を示す斜視図であり、図４Ｂは、同側面図である。図４Ａ及び図４Ｂに示すように、ＵＴセンサ３２は、順に積層された下部電極３２Ａ、圧電セラミックス膜３２Ｂ及び上部電極３２Ｃと、各電極３２Ａ，３２Ｃに電気接続された信号線３２Ｄとを含んで構成される。幾つかの実施形態において、ＵＴセンサ３２は、例えば、厚さ１．０ｍｍ以下の薄膜ＵＴセンサとしてもよい。こうすることで、ＵＴセンサ３２は柔軟性（可撓性）を有し、例えば、配管等における表面の曲面に倣って密着させることが可能となる。このＵＴセンサ３２を構成する材料を金属とセラミックスのみとし、高温環境での耐久性に優れた構成としてもよい。圧電セラミックス膜を構成する機能性セラミックスとしては、例えば、ＰＺＴ（チタン酸ジルコン酸鉛）やＬｉＮｂＯ３（ニオブ酸リチウム）等を用いてもよく、適切なキュリー温度（圧電特性を失う温度）を有する材料を選定することで、適用温度領域に適したＵＴセンサ３２（薄膜ＵＴセンサ）を構成してもよい。かかるＵＴセンサ３２は、薄く、優れた耐熱性を具備するため、例えば、火力発電プラント１の運転中に高温となる配管に常設してもよい。こうすることで、プラント運転中における配管の厚さや、同厚さの変化の度合いなどを安定して測定することができる。
なお、他の実施形態では、例えば、全面腐食センサとして孔食センサを用いてもよい。
【００５０】
ＵＴセンサ３２は、循環ライン１１において、循環水の流速が速く、温度が高い場所に設けることが好ましい。これらの場所は、反応が進みやすく、全面腐食が形成され易いといえるため、肉厚測定に適したＵＴセンサ３２を配置することで循環ライン１１における腐食の発生を効率よく検出することができる。高流速の場所としては、例えば、伝熱管５１の入口／出口、及び、各種ポンプ（例えば、循環水ポンプ２２、排水ポンプ２６、復水ポンプ６など）の出口などが挙げられる。
【００５１】
幾つかの実施形態において、ＵＴセンサ３２は、少なくとも一つの上記伝熱管５１に設置されてもよい（図２参照）。具体的に、ＵＴセンサ３２は、復水器５の伝熱管５１において、入口側の端部に配設されてもよい。このように構成すれば、全面腐食が起きやすい復水器５の伝熱管５１にＵＴセンサ３２（全面腐食センサ）を設けることとなるため、水質管理システム２０の運用により、復水器５における伝熱管５１の全面腐食を抑制可能な水質に維持可能となる。
【００５２】
幾つかの実施形態において、ＵＴセンサ３２は、循環水ポンプ２２の出口側の配管に設けられてもよい。全面腐食は内部を流れる循環水の流速が速い箇所で発生し易い。従って、このように構成することにより、全面腐食が起きやすい循環水ポンプ２２の出口側配管に全面腐食センサを設けることとなるため、水質管理システム２０の運用により、循環水ポンプ２２の出口側配管の全面腐食を抑制可能な水質に維持可能となる。
【００５３】
幾つかの実施形態において、ＵＴセンサ３２は、復水器５の入口側に配置されてもよい（図２参照）。全面腐食は、流速が速く温度が高い箇所で発生し易いため、このように復水器５の入口側にＵＴセンサ３２を配置することで、循環ライン１１における全面腐食の発生、又は、全面腐食が発生する兆候について遅滞なく速やかに検出することができる。
【００５４】
幾つかの実施形態では、局部腐食センサとして、例えば、渦電流探傷試験（ＥＣＴ：ｅｄｄｙ  ｃｕｒｒｅｎｔ  ｔｅｓｔｉｎｇ）センサ、即ち、ＥＣＴセンサ３３を用いてもよい。ＥＣＴセンサ３３は、例えば、金属中に亀裂等がある場合に、亀裂のない（損傷のない）金属から跳ね返ってくる信号（インピーダンス）が乱れることを利用して亀裂を検出するものである。このＥＣＴセンサ３３は、周波数を変更することで、測定したい深さにある亀裂を検出することができる。ＥＣＴセンサ３３は、例えば、配管内に設けられ、管内面の腐食を検出する。
【００５５】
ＥＣＴセンサ３３は、機械的に変形している箇所（例えば、拡管部やＵベンド部など、応力が高く亀裂が発生しやすい場所）、又は、構造上、水質中の不純物（例えば、塩素等）濃度や酸素濃度が高くなる場所、隙間となる場所に配置することが好ましい。拡管部は、例えば、伝熱管５１とこれに隣接する管板との境界等が挙げられる。隙間となる場所としては、例えば、溶接部やフランジ部などが挙げられる。
【００５６】
全面腐食センサと局部腐食センサとは、それぞれが別体として構成されてもよいし、両センサが同一のセンサで兼用されるように構成されることも可能である。即ち、ＵＴセンサ３２とＥＣＴセンサ３３とは、例えば、検出精度に応じて、いずれか一方が、肉厚の測定及び亀裂の有無の検出の両方を担うことも可能である。
【００５７】
幾つかの実施形態において、ＥＣＴセンサ３３は、第１配管５６と第２配管５７との接続部に設置されてもよい。このようにすれば、塩化物イオン濃度が高い循環水が滞留しやすい配管接続部にＥＣＴセンサ３３（局部腐食センサ）を設けることとなるため、水質管理システム２０の運用により、配管接続部における局部腐食を抑制可能な水質に維持可能となる。
【００５８】
幾つかの実施形態において、ＥＣＴセンサ３３は、復水器５の出口側に配置されてもよい（図２参照）。具体的に、ＥＣＴセンサ３３は、例えば、伝熱管５１の出口側に配置される。
【００５９】
図５に示すように、幾つかの実施形態において、ＥＣＴセンサ３３は、少なくとも一つの伝熱管５１や、他の熱交換器における熱交換用配管のＵベンド部６０に設置されてもよい。つまり、ＥＣＴセンサ３３は、何れか一つの伝熱管５１又はＵベンド部６０に設けられてもよいし、２以上の（複数の）伝熱管５１又はＵベンド部６０に設けられてもよい。
なお、伝熱管５１の材質としては、例えば、銅系材料（例えば、キュプロニッケル等）、ステンレス及びチタン等が挙げられる。このうち、例えば、伝熱管５１がステンレス材料で構成される場合は、腐食環境下で引張応力が作用することで局部腐食の一例であるＳＣＣ（応力腐食割れ）が発生する可能性があり得る。
したがって、上記構成により、例えば、伝熱管５１や、他の熱交換器のＵベンド部６０、等がステンレス材料で構成される場合には、局部腐食の一例であるＳＣＣが発生しやすく破損リスクが高い伝熱管５１やＵベンド部６０にＥＣＴセンサ３３（局部腐食センサ）を設けることとなるため、水質管理システム２０の運用により、復水器５における伝熱管５１の局部腐食を抑制可能な水質に維持可能となる。
【００６０】
幾つかの実施形態において、ＥＣＴセンサ３３は、入口ヘッダ５３と複数の伝熱管５１との接続部、または、出口ヘッダ５４と複数の伝熱管５１との接続部の少なくとも一方に設置されてもよい。つまり、ＥＣＴセンサ３３は、何れか一つの伝熱管５１と入口ヘッダ５３との接続部に設けられてもよいし、何れか一つの伝熱管５１と出口ヘッダ５４との接続部に設けられてもよいし、その両方すなわち複数の（２以上の）伝熱管５１と入口ヘッダ５３又は出口ヘッダ５４との接続部に設けられてもよい。このように構成すれば、ＳＣＣが発生しやすい伝熱管５１と入口ヘッダ５３又は出口ヘッダ５４との接続部に局部腐食センサを設けることとなるため、水質管理システム２０の運用により、復水器５における伝熱管５１と入口ヘッダ５３との接続部、又は、伝熱管５１と出口ヘッダ５４との接続部における局部腐食を抑制可能な水質に維持可能となる。
【００６１】
図６は、幾つかの実施形態に係る循環水系統１０の水質管理システム２０における制御系の構成を示すブロック図である。
同図に示すように、幾つかの実施形態において、コントローラ３１は、例えば、コンピュータであり、ＣＰＵ３１Ａ、該ＣＰＵ３１Ａが実行する各種プログラム等を記憶するための記憶部としてのＲＯＭ（Ｒｅａｄ  Ｏｎｌｙ  Ｍｅｍｏｒｙ）３１Ｂ、各プログラム実行時のワーク領域として機能するＲＡＭ（Ｒａｎｄｏｍ  Ａｃｃｅｓｓ  Ｍｅｍｏｒｙ）３１Ｃ等の他、図示しない大容量記憶装置としてのハードディスクドライブ（ＨＤＤ）、通信ネットワークに接続するための通信インターフェース、及び外部記憶装置が装着されるアクセス部などを備えている。これら各部は、バス３５を介して接続されている。更に、コントローラ３１は、例えば、キーボードやマウス等からなる入力部（図示省略）及びデータを表示する液晶表示装置等からなる表示部（図示省略）などと接続されていてもよい。
【００６２】
幾つかの実施形態において、コントローラ３１は、上述したＵＴセンサ３２及びＥＣＴセンサ３３の他、例えば、循環水ポンプ２２、ブローバルブ２３、補給水供給部２７、薬剤タンク２８Ａ及び薬剤供給ポンプ２８Ｂ等と電気的に接続されている。コントローラ３１は、これらの各装置３２，３３，２２，２３，２７，２８Ａ，２８Ｂと双方向に通信可能に構成されている。なお、コントローラ３１には、例えば、環境データや火力発電プラント１を構成する各部の運転データ等に関するデータが入力されるように構成されていてもよい。
環境データとしては、例えば、水温、室温等に関する温度データや水圧、気圧等の圧力に関するデータ、火力発電プラント１の周辺地域の天候、気温および湿度、ならびに補給水の水質（濁りレベルなど）が挙げられる。運転データとしては、例えば、火力発電プラント１における各種機器の出力やＯＮ／ＯＦＦの状態、回転数、動作時間、駆動タイミング等に関するデータや、各種（蒸気、水、冷却水、薬品など）流量、ボイラ２の温度や圧力、冷却水温度、冷却塔７の風量等が挙げられる。
【００６３】
幾つかの実施形態において、コントローラ３１は、ＵＴセンサ３２（全面腐食センサ）により配管の全面腐食が検出されたとき、循環ライン１１に薬剤を供給するように薬剤供給部２８を制御するように構成される。具体的には、ＵＴセンサ３２を作動状態として、循環ライン１１に設けられる機器の内部流路又は循環ライン１１を構成する配管の全面腐食の発生有無を検知させる。全面腐食を検出した際にはその検出結果に関するデータを該ＵＴセンサ３２からコントローラ３１に送信させるための制御プログラム（例えば、全面腐食検出プログラム３６）をコントローラ３１の記憶部内に格納してもよい。該プログラムはまた、ＵＴセンサ３２から送信された検出結果と、記憶部に予め格納されている各種パラメータの相関や各種計算式、閾値等に関するデータとに基づき、薬剤の供給量を決定し、その決定に応じた量の薬剤を循環ライン１１に供給するように薬剤供給部２８を駆動する制御をコントローラ３１に実現させる。幾つかの実施形態において、例えば、ＵＴセンサ３２により配管の全面腐食が検出された場合、ｐＨ値を上昇させてアルカリ側とするように薬剤が供給される。
【００６４】
幾つかの実施形態において、コントローラ３１は、ＥＣＴセンサ３３（局部腐食センサ）により配管の局部腐食が検出されたとき、循環ライン１１に補給水を供給するように補給水供給部２７を制御するとともに、循環水の一部を循環ライン１１から排出するように循環水排出部２１を制御するように構成される。具体的には、ＥＣＴセンサ３３を作動状態として、循環ライン１１に設けられる配管の局部腐食の発生有無を検知させる。局部腐食を検出した際にはその検出結果に関するデータを該ＥＣＴセンサ３３からコントローラ３１に送信させるための制御プログラム（例えば、局部腐食検出プログラム３７）をコントローラ３１の記憶部内に格納してもよい。該プログラムはまた、ＥＣＴセンサ３３からの検出結果と、記憶部に予め格納されている各種パラメータの相関や計算式、閾値等に関するデータとに基づき、循環ライン１１に補給水を供給するように補給水供給部２７を制御するとともに、循環水の一部を循環ライン１１から排出するように循環水排出部２１を駆動する制御をコントローラ３１に実現させる。
【００６５】
幾つかの実施形態において、コントローラ３１は、上記の制御（具体的には、後述する図７乃至図９に示す制御）を実行するために用いる各種演算式やパラメータ、閾値等のデータを記録したＲＯＭ３１Ｂ等の記憶手段、この記憶手段に記憶されたデータを用いて演算処理を行うＣＰＵ３１Ａ、演算領域となるＲＡＭ３１Ｃ等を含むように構成されてもよい。
また、上記ＵＴセンサ３２及びＥＣＴセンサ３３で検出した測定結果（検出結果）等のデータは、例えば、ローカル・エリア・ネットワーク（ＬＡＮ）やインターネット回線等を介してコントローラ３１に送信されるように構成されてもよい。
【００６６】
図７及び図８を参照し、幾つかの実施形態においてコントローラ３１で行われる水質管理処理について説明する。図７は、幾つかの実施形態に係る循環水系統の水質管理方法を示すフローチャートであり、図８は、幾つかの実施形態に係る循環水系統の水質管理方法を示すフローチャートであって、図７におけるステップＳ３の処理を具体的に実現するための処理を示す図である。
【００６７】
図７に示すように、幾つかの実施形態では、ＵＴセンサ３２を用いることにより、循環ライン１１に設けられる機器の内部流路、又は、循環ライン１１を構成する配管の全面腐食の有無が検出される（ステップＳ１）。また、幾つかの実施形態では、ＥＣＴセンサ３３を用いることにより、配管の局部腐食の有無が検出される（ステップＳ２）。幾つかの実施形態において、コントローラ３１は、上記ステップＳ１におけるＵＴセンサ３２の検出結果、及び、上記ステップＳ２におけるＥＣＴセンサ３３の検出結果に基づいて、補給水供給部２７、循環水排出部２１及び薬剤供給部２８を制御する（ステップＳ３）。
【００６８】
具体的には、図８に示すように、幾つかの実施形態において、コントローラ３１は、ＵＴセンサ３２から全面腐食が検出された旨の検出信号を受信したか否かを判断する（ステップＳ１１）。全面腐食が検出された旨の検出信号を受信した場合、すなわち、全面腐食があること（又は全面腐食が発生する兆候があること）が検出された場合（ステップＳ１１：ＹＥＳ）、コントローラ３１は、循環ライン１１に薬剤を供給するように薬剤供給部２８を制御する（ステップＳ１２）。次に、コントローラ３１は、ＥＣＴセンサ３３から局部腐食が検出された旨の検出信号を受信したか否かを判断する（ステップＳ１３）。局部腐食が検出された旨の検出信号を受信した場合、すなわち、局部腐食があること（又は、局部腐食が発生する兆候があること）が検出された場合（ステップＳ１３：ＹＥＳ）、コントローラ３１は、循環ライン１１に補給水を供給するように補給水供給部２７を制御する（ステップＳ１４）とともに、循環水の一部を循環ライン１１から排出するように循環水排出部２１を制御する（ステップＳ１５）。
ステップＳ１１において、全面腐食が発生した旨の検出信号を受信しない場合、すなわち、全面腐食の発生が検出されない場合（ステップＳ１１：ＮＯ）、コントローラ３１は、ステップＳ１３に移行して局部腐食の有無を判断する。また、ステップＳ１３において、局部腐食が発生した旨の検出信号を受信しない場合、すなわち、局部腐食の発生が検出されない場合、コントローラ３１は、処理を終了する。
【００６９】
幾つかの実施形態では、上記図７及び図８に示した処理を、例えば、オペレータが制御室等から入力端末を介して検査開始の入力を行うことで各センサ３２，３３から腐食発生の検出信号が送信されているか否かをコントローラ３１が判断するように構成してもよい。
他の実施形態では、火力発電プラント１の運転開始から常時、ＵＴセンサ３２及び／又はＥＣＴセンサ３３を作動させ、腐食の発生と同時に該腐食を検出し、コントローラ３１に検出結果を送信するように構成してもよい。この場合、例えば、図９に示すように、ステップＳ１５の後に、水質管理処理を終了する旨の入力がなされたか否かを判断するステップ（例えば、ステップＳ１６）を設け、終了コマンドが入力された場合（ステップＳ１６：ＹＥＳ）は処理を終了するように構成してもよい。終了コマンドが入力されない場合（ステップＳ１６：ＮＯ）、コントローラ３１は、ステップＳ１１に戻ってステップＳ１１乃至Ｓ１６の処理を繰り返し行うように、ループさせるように構成してもよい。このようにすれば、全面腐食或いは局部腐食の発生の有無を常時監視することができ、腐食の発生をタイムリーに検出することができるため、循環水系統１０における腐食等の発見遅れを防止又は解消することができる。
【００７０】
以上説明したように、本発明の幾つかの実施形態では、循環水系統１０内の主要箇所に腐食センサとしてＵＴセンサ３２やＥＣＴセンサ３３を配置し、これらのセンサ３２，３３からの検出結果を常時監視、確認できるように構成される。そして、この監視により、腐食の発生兆候が検知された場合は、速やかに、且つ、自動的に薬品注入量やブロー水量が決定（再調整）され、決定された値に基づき、薬品注入やブローが実行される。
また、本発明の幾つかの実施形態では、検出された腐食が全面腐食か局所腐食かを判断し、その判断結果に応じて、薬品注入量やブロー水量の調整具合を変化させ、必要に応じて適切な対応を自動的に行うことができる。
したがって、配管の腐食を抑制しながら、水質管理システム２０の運用中に消費する補給水量を削減することができる。これにより、火力発電プラント１の運営コストを抑制しながら、循環水系統１０における腐食等の発見遅れを防止することができるため、潜在的なリスクを回避することができる。
【００７１】
なお、上述した幾つかの実施形態に係る水質管理システム２０は、複数の情報処理装置を備えてもよい。これらの情報処理装置は、それらの各処理を分散して行ってもよい。
また、上述した幾つかの本実施形態の各処理を実行するためのプログラムをコンピュータ読み取り可能な記録媒体に記録して、当該記録媒体に記録されたプログラムをコンピュータシステムに読み込ませ、実行することにより、上述した種々の処理を行ってもよい。
【００７２】
なお、ここでいう「コンピュータシステム」とは、ＯＳ（Ｏｐｅｒａｔｉｎｇ  Ｓｙｓｔｅｍ）や周辺機器等のハードウェアを含むものであってもよい。また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、「コンピュータ読み取り可能な記録媒体」とは、フレキシブルディスク、光磁気ディスク、ＲＯＭ（Ｒｅａｄ−ｏｎｌｙ  Ｍｅｍｏｒｙ）、フラッシュメモリ等の書き込み可能な不揮発性メモリ、ＣＤ（Ｃｏｍｐａｃｔ  Ｄｉｓｃ）−ＲＯＭ等の可搬媒体、コンピュータシステムに内蔵されるハードディスク等の記憶装置のことをいう。
【００７３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７４】
本発明は上述した実施形態に限定されることはなく、上述した実施形態に変更を加えた形態や、これらの形態を組み合わせた形態も含む。
【符号の説明】
【００７５】
１  火力発電プラント（プラント）
２  ボイラ
３  蒸気タービン（ＳＴ）
４  発電機
５  復水器
６  復水ポンプ
１０  循環水系統
１１  循環ライン
１２  冷却塔
２０  水質管理システム
２１  循環水排出部
２２  循環水ポンプ
２３  ブローバルブ
２４  冷却塔ブロー
２５  廃液処理設備
２６  排水ポンプ
２７  補給水供給部
２８  薬剤供給部
２８Ａ  薬剤タンク
２８Ｂ  薬剤供給ポンプ
３１  コントローラ
３１Ａ  ＣＰＵ
３１Ｂ  ＲＯＭ（記憶部）
３１Ｃ  ＲＡＭ
３２  ＵＴセンサ（全面腐食センサ）
３２Ａ  下部電極
３２Ｂ  セラミックス
３２Ｃ  上部電極
３２Ｄ  信号線
３３  ＥＣＴセンサ（局部腐食センサ）
３５  バス
３６  全面腐食検出プログラム
３７  局部腐食検出プログラム
５１  伝熱管
５３  入口ヘッダ
５４  出口ヘッダ
５６  第１配管
５７  第２配管
６０  Ｕベンド部
【図１】
2018105794.tif 000003
【図２】
2018105794.tif 000004
【図３】
2018105794.tif 000005
【図４Ａ】
2018105794.tif 000006
【図４Ｂ】
2018105794.tif 000007
【図５】
2018105794.tif 000008
【図６】
2018105794.tif 000009
【図７】
2018105794.tif 000010
【図８】
2018105794.tif 000011
【図９】
2018105794.tif 000012